(57)【特許請求の範囲】
【請求項１】
第１無線ネットワークを介して携帯端末へ設定情報を送信し、該設定情報に基づいて確立された第２無線ネットワークを介して該携帯端末から画像データを受信し、該第１無線ネットワークを介した該携帯端末からの引換票データの受信に伴い該画像データを印刷するプリント装置と、
第３無線ネットワークを介して前記携帯端末へ前記引換票データを送信する引換票発行端末と、
を備え、
前記プリント装置は、
前記第１無線ネットワークを介して前記携帯端末へ前記設定情報を送信し、該携帯端末から前記引換票データを受信する第１通信部と、
前記第２無線ネットワークを介して前記携帯端末から前記画像データを受信する第２通信部と、
前記画像データを印刷するプリンタと、
を備えることを特徴とする画像プリントシステム。
【請求項２】
前記第２無線ネットワークを介した通信は、前記第１無線ネットワークを介した通信より通信距離が長く、通信速度が高速であることを特徴とする請求項１に記載の画像プリントシステム。
【請求項３】
前記プリント装置は、前記携帯端末からの要求に応じて前記設定情報を生成し、該携帯端末から該設定情報に基づく接続要求があった場合に、前記第２通信部による前記第２無線ネットワークを介した通信接続を許可する認証部を有することを特徴とする請求項１又は２に記載の画像プリントシステム。
【請求項４】
前記第１無線ネットワークを介した通信と前記第３無線ネットワークを介した通信とはデータ伝送方式が同じであることを特徴とする請求項１乃至３のいずれかに記載の画像プリントシステム。
【請求項５】
第１無線ネットワークを介して携帯端末へ設定情報を送信し、該携帯端末から引換票データを受信する第１通信部と、
第２無線ネットワークを介して前記携帯端末から画像データを受信する第２通信部と、
前記画像データを印刷するプリンタと、
前記携帯端末からの要求に応じて前記設定情報を生成し、該携帯端末から該設定情報に基づく接続要求があった場合に、前記第２通信部による前記第２無線ネットワークを介した通信接続を許可する認証部と、
前記第１通信部による前記引換票データの受信に伴い前記画像データを印刷するように前記プリンタを制御する制御部と、
を備えるプリント装置。
【請求項６】
プリント装置が第１無線ネットワークを介して携帯端末へ設定情報を送信するステップと、
前記設定情報に基づいて前記携帯端末と前記プリント装置との間の第２無線ネットワークを介した通信を確立するステップと、
前記携帯端末が前記第２無線ネットワークを介して前記プリント装置へ画像データを送信するステップと、
前記画像データの送信後、前記携帯端末が第３無線ネットワークを介して引換票発行端末から引換票データを受信するステップと、
前記携帯端末が、前記第１無線ネットワークを介して前記プリント装置へ前記引換票データを送信するステップと、
前記プリント装置が、前記引換票データの受信に伴い前記画像データを印刷するステップと、
を備える画像プリント方法。
【発明の詳細な説明】
【技術分野】
【０００１】
本発明は、利用者が所有する携帯端末に記憶されている画像データをプリント出力する画像プリントシステム、プリント装置、及び画像プリント方法に関する。
【背景技術】
【０００２】
デジタルカメラやスマートフォン等で撮影した画像のデジタルデータを読み込んでプリント出力する画像プリント装置が様々な場所に設置されている。例えば、利用者が、デジタルカメラで撮影した画像データが記憶された記憶媒体を持参し、記憶媒体内の画像データを画像プリント装置に読み込ませる。画像プリント装置は、記憶媒体から読み込んだ画像データの画像をサムネイル表示し、利用者に提示する。そして、利用者がプリントする画像を選択し、プリント枚数等を指定すると、画像プリント装置は画像をプリント出力する。
【０００３】
また、複数の受付専用端末とプリント専用端末とが通信ネットワークで接続された画像プリントシステムも実用化されている（例えば特許文献１、２参照）。プリント専用端末は、サーバおよびプリンタからなり、複数の受付専用端末から送られる画像データを印刷する。受付専用端末は課金機能を持たず、料金を印刷した第１レシートを出力する。利用者はレジカウンターで、この第１レシートを店員に示して料金を支払う。料金の支払い後、受付専用端末とネットワーク接続されたレシートプリンタから、注文識別情報を示すバーコードを印刷した第２レシートが出力される。利用者が、プリント専用端末のバーコードリーダに第２レシートのバーコードをかざすと、プリント専用端末のバーコードスキャナがバーコードを読み取って印刷を開始し、プリント物を受け取ることができる。
【０００４】
従来の画像プリントシステムでは、プリント専用端末とは別に、プリント注文を受け付け、第１レシートを出力する受付専用端末が必要であった。また、料金の支払い後に第２レシートを出力するレシートプリンタが必要であった。このように、従来の画像プリントシステムは様々な機器を備えており、設置コストがかかっていた。
【先行技術文献】
【特許文献】
【０００５】
【特許文献１】特開２０１３−１８１２０号公報
【特許文献２】特開２０１３−８４０４３号公報
【発明の概要】
【発明が解決しようとする課題】
【０００６】
本発明は、上記従来の実状に鑑みてなされたものであり、低コストで操作の容易な画像プリントシステム、この画像プリントシステムに設けられるプリント装置、及び画像プリント方法を提供することを課題とする。
【課題を解決するための手段】
【０００７】
本発明の一態様による画像プリントシステムは、第１無線ネットワークを介して携帯端末へ設定情報を送信し、該設定情報に基づいて確立された第２無線ネットワークを介して該携帯端末から画像データを受信し、該第１無線ネットワークを介した該携帯端末からの引換票データの受信に伴い該画像データを印刷するプリント装置と、第３無線ネットワークを介して前記携帯端末へ前記引換票データを送信する引換票発行端末と、を備えるものである。
【０００８】
本発明の一態様による画像プリントシステムにおいて、前記第２無線ネットワークを介した通信は、前記第１無線ネットワークを介した通信より通信距離が長く、通信速度が高速であることが好ましい。
【０００９】
本発明の一態様による画像プリントシステムにおいて、前記プリント装置は、前記第１無線ネットワークを介して前記携帯端末へ前記設定情報を送信し、該携帯端末から前記引換票データを受信する第１通信部と、前記第２無線ネットワークを介して前記携帯端末から前記画像データを受信する第２通信部と、前記画像データを印刷するプリンタと、を備えることが好ましい。
【００１０】
本発明の一態様による画像プリントシステムにおいて、前記プリント装置は、前記携帯端末からの要求に応じて前記設定情報を生成し、該携帯端末から該設定情報に基づく接続要求があった場合に、前記第２通信部による前記第２無線ネットワークを介した通信接続を許可する認証部を有することが好ましい。
【００１１】
本発明の一態様による画像プリントシステムは、前記第１無線ネットワークを介した通信と前記第３無線ネットワークを介した通信とはデータ伝送方式が同じであることが好ましい。
【００１２】
本発明の一態様によるプリント装置は、第１無線ネットワークを介して携帯端末へ設定情報を送信し、該携帯端末から引換票データを受信する第１通信部と、第２無線ネットワークを介して前記携帯端末から画像データを受信する第２通信部と、前記画像データを印刷するプリンタと、前記携帯端末からの要求に応じて前記設定情報を生成し、該携帯端末から該設定情報に基づく接続要求があった場合に、前記第２通信部による前記第２無線ネットワークを介した通信接続を許可する認証部と、前記第１通信部による前記引換票データの受信に伴い前記画像データを印刷するように前記プリンタを制御する制御部と、を備えるものである。
【００１３】
本発明の一態様による画像プリント方法は、プリント装置が第１無線ネットワークを介して携帯端末へ設定情報を送信するステップと、前記設定情報に基づいて前記携帯端末と前記プリント装置との間の第２無線ネットワークを介した通信を確立するステップと、前記携帯端末が前記第２無線ネットワークを介して前記プリント装置へ画像データを送信するステップと、前記画像データの送信後、前記携帯端末が第３無線ネットワークを介して引換票発行端末から引換票データを受信するステップと、前記携帯端末が、前記第１無線ネットワークを介して前記プリント装置へ前記引換票データを送信するステップと、前記プリント装置が、前記引換票データの受信に伴い前記画像データを印刷するステップと、を備えるものである。
【発明の効果】
【００１４】
本発明によれば、画像プリントシステムのコストを削減し、かつ操作が容易なものとすることができる。
【図面の簡単な説明】
【００１５】
【図１】本発明の実施形態に係る画像プリントシステムの構成例を示す図である。
【図２】同実施形態に係る携帯端末の構成例を示す図である。
【図３】同実施形態に係るプリント装置の概略斜視図である。
【図４】同実施形態に係るプリント装置の構成例を示す図である。
【図５】同実施形態に係る引換票発行端末の構成例を示す図である。
【図６】同実施形態に係る画像プリント処理を説明するフローチャートである。
【図７】携帯端末の画像選択画面の例を示す図である。
【図８】プリント注文処理を説明するシーケンス図である。
【図９】引換票発行処理を説明するシーケンス図である。
【図１０】プリント開始指示処理を説明するシーケンス図である。
【発明を実施するための形態】
【００１６】
以下、本発明の実施の形態を図面に基づいて説明する。図１は、本発明の実施形態に係る画像プリントシステムの構成例を示す図である。図１に示すように、画像プリントシステムは、携帯端末１０、プリント装置２０、及び引換票発行端末３０を備える。携帯端末１０は、利用者が所有するスマートフォンやタブレット機器等である。プリント装置２０及び引換票発行端末３０は、プリントサービスを提供する店舗等に設置される。
【００１７】
携帯端末１０は、無線ネットワークを介してプリント装置２０へ画像データを送信し、プリント注文を行う。プリント装置２０は、携帯端末１０から画像データを受信し、プリント注文を受け付けると、携帯端末１０へ注文票データを送信する。この注文票データには、プリント注文の注文内容や料金についての情報が含まれている。
【００１８】
利用者は、携帯端末１０のディスプレイ画面に注文票を表示し、店員に提示する。注文票の内容に応じた料金の支払い後、引換票発行端末３０が引換票データを発行し、無線ネットワークを介して引換票データを携帯端末１０へ送信する。
【００１９】
引換票データを受信した携帯端末１０は、無線ネットワークを介してプリント装置２０へ引換票データを送信するとともに、プリント開始を指示する。プリント装置２０は、受信した引換票データに基づいて、この利用者（携帯端末１０）からのプリント注文内容を特定し、プリント開始指示により、画像データの印刷を行う。利用者は、プリント装置２０から出力されるプリント物を受け取る。
【００２０】
図２は、携帯端末１０の構成例を示す図である。図２に示すように、携帯端末１０は、制御部１１、表示部１２、入出力部１３、認証部１４、記憶部１５、第１通信部１６、及び第２通信部１７を備える。表示部１２は各種画面を提示するディスプレイである。入出力部１３は、利用者からの指示入力を受け付ける。例えば、表示部１２及び入出力部１３はタッチパネルからなる。また、入出力部１３は、音声を出力するスピーカ等を有する。
【００２１】
第１通信部１６は、プリント装置２０や引換票発行端末３０と無線ネットワークを介したデータ通信を行う。第１通信部１６は、近距離無線通信を行い、データ伝送の方式として、ブルートゥースローエナジー（Bluetooth（登録商標）  Low  Energy、以下ＢＬＥ）や、ＮＦＣ（Near  Field  Communication）等を用いる。第１通信部１６による近距離無線通信の通信距離は、例えば数ｃｍ〜数十ｃｍ程度とする。
【００２２】
第１通信部１６は、近距離無線通信を行うデバイスを検索・検出し、接続を行う。例えば、ＢＬＥ通信では、マスター機器がデバイスの検索としてスキャニングを行い、スレーブ機器がブロードキャスト送信しているアドバタイズメントデータを受信する。マスター機器は、スレーブ機器のアドバタイズメントデータから機器の情報を取り出した後、接続するべきＢＬＥ機器と判定したら、接続要求を発行して接続状態に移行し、通信を開始する。このようにして、第１通信部１６は、通信可能圏にあるプリント装置２０や引換票発行端末３０と通信接続を確立する。
【００２３】
第１通信部１６は、プリント装置２０との通信が確立したら、プリント装置２０と近距離無線通信を行い、無線ＬＡＮ接続時の認証に用いる設定情報を取得したり、後述する引換票データを送信したりする。また、第１通信部１６は、引換票発行端末３０との通信が確立したら、引換票発行端末３０と近距離無線通信を行い、引換票データを受信する。
【００２４】
第２通信部１７は、プリント装置２０と無線ネットワークを介したデータ通信を行う。第２通信部１７は、Ｗｉ−Ｆｉ（Wireless  Fidelity、登録商標）のような無線ＬＡＮによる無線通信を行う。第２通信部１７による無線通信は、第１通信部１６による無線通信よりも、通信距離が長く、通信速度が高速である。第２通信部１７は、プリント装置２０と無線通信を行い、画像データを送信する。
【００２５】
認証部１４は、第１通信部１６と、プリント装置２０や引換票発行端末３０との通信接続の認証処理を行う。また、認証部１４は、第１通信部１６が受信した設定情報を用いて、第２通信部１７による無線ＬＡＮ接続の認証処理を行う。設定情報には、プリント装置２０が持つＳＳＩＤ（Service  Set  Identifier）及びパスワードが含まれる。この設定情報を用いることで、第２通信部１７とプリント装置２０との無線ＬＡＮ接続が確立する。
【００２６】
記憶部１５は、フラッシュメモリタイプ、ハードディスクタイプ、マルチメディアカードマイクロタイプ、カードタイプのメモリ（例えば、ＳＤ又はＸＤメモリなど）、ＲＡＭ（Random  Access  Memory）、ＳＲＡＭ（Static  Random  Access  Memory）、ＲＯＭ（Read-Only  Memory）、ＥＥＰＲＯＭ（Electrically  Erasable  Programmable  Read-Only  Memory）、ＰＲＯＭ（Programmable  Read-Only  Memory）、磁気メモリ、磁気ディスク、光ディスクの少なくとも１つのタイプの記憶媒体を含む。記憶部１５は、制御プログラム、画像プリント注文を行うためのアプリケーションプログラム、画像データ等を保存する。
【００２７】
制御部１１は、携帯端末１０の各部を制御する。ＣＰＵが制御プログラムを実行することで制御部１１として機能する。また、ＣＰＵがアプリケーションプログラムを実行することで、携帯端末１０を、プリント装置２０に対して画像データを送信したり、プリント開始を指示したりするプリント注文端末として機能させることができる。
【００２８】
次に、図３及び図４を用いてプリント装置２０について説明する。図３はプリント装置２０の概略斜視図であり、図４はプリント装置２０の構成例を示す図である。図４に示すように、プリント装置２０は、制御部２１、表示部２２、入出力部２３、認証部２４、記憶部２５、第１通信部２６、第２通信部２７、及びプリンタ２８を備える。
【００２９】
表示部２２は各種画面を提示するディスプレイである。入出力部２３は、利用者からの指示入力を受け付ける。例えば、表示部２２及び入出力部２３は、図３に示すように、筐体２００の上部に設置されたタッチパネル２１０からなる。また、入出力部２３は、音声を出力するスピーカ等を有する。
【００３０】
第１通信部２６は、携帯端末１０の第１通信部１６と無線ネットワークを介したデータ通信を行う。第１通信部２６は、近距離無線通信を行い、データ伝送の方式として、ＢＬＥやＮＦＣ等を用いる。第１通信部２６による近距離無線通信の通信距離は、例えば数ｃｍ〜数十ｃｍ程度とする。
【００３１】
プリント装置２０と携帯端末１０とが近付き、通信可能圏に入ると、第１通信部２６は、上述したような方法で、携帯端末１０の第１通信部１６との通信を確立する。通信確立後、第１通信部２６は、無線ＬＡＮ接続時の認証に用いる設定情報を送信したり、引換票データを受信したりする。設定情報は、自機のＳＳＩＤ及びパスワードを含む。設定情報は、固定でもよいし、携帯端末１０からの要求の度に生成してもよい。
【００３２】
第２通信部２７は、携帯端末１０と無線ネットワークを介したデータ通信を行う。第２通信部２７は、Ｗｉ−Ｆｉのような無線ＬＡＮによる無線通信を行う。第２通信部２７による無線通信は、第１通信部２６による無線通信よりも、通信距離が長く、通信速度が高速である。第２通信部２７は、携帯端末１０と無線通信を行い、画像データを受信するとともに、プリントサイズ、プリント枚数等のプリント注文を受け付ける。また、第２通信部２７は、プリント注文を受け付けると、このプリント注文の注文ＩＤ、注文内容、料金等の情報を含む注文票データを送信する。
【００３３】
認証部２４は、第１通信部２６と、携帯端末１０との通信接続の認証処理を行う。認証部２４は、設定情報を動的に生成することができる。また、認証部２４は、携帯端末１０から無線ＬＡＮの接続要求があると、認証処理を行う。携帯端末１０からの無線ＬＡＮの接続要求が、第１通信部２６が送信した設定情報に対応するものであった場合、無線ＬＡＮ接続の許可応答を行う。これにより、第２通信部２７と携帯端末１０との無線ＬＡＮ接続が確立する。
【００３４】
記憶部２５は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリ、磁気ディスク、光ディスクの少なくとも１つのタイプの記憶媒体を含む。記憶部２５は、制御プログラム、及び携帯端末１０から受信した画像データ等を保存する。
【００３５】
プリンタ２８は、昇華型又はインクジェット型などの高解像度カラープリンタである。プリンタ２８は、第１通信部２６が携帯端末１０から引換票データを受信すると、事前に携帯端末１０から受け付けていた注文内容に基づいて、画像データをプリントして出力する。プリンタ２８は筐体２００内に収容されている。プリンタ２８は複数台設置されていてもよい。図３に示すように、筐体２００の前面側には、透明な開閉扉２２０が開閉自在に設けられている。開閉扉２２０の裏面側には、プリンタ２８がプリント出力したプリント物が集積される集積部（図示せず）が設けられており、開閉扉２２０を開けると集積部に集積されたプリント物を取り出せるようになっている。
【００３６】
制御部２１は、プリント装置２０の各部を制御する。ＣＰＵが制御プログラムを実行することで制御部２１として機能する。
【００３７】
図５は、引換票発行端末３０の構成例を示す図である。図５に示すように、引換票発行端末３０は、制御部３１、引換票生成部３２、入力部３３、認証部３４、記憶部３５、及び通信部３６を備える。
【００３８】
通信部３６は、携帯端末１０の第１通信部１６と無線ネットワークを介したデータ通信を行う。通信部３６は、近距離無線通信を行い、データ伝送の方式として、ＢＬＥやＮＦＣ等を用いる。通信部３６による近距離無線通信の通信距離は、例えば数ｃｍ〜数十ｃｍ程度とする。
【００３９】
引換票発行端末３０と携帯端末１０とが近付き、通信可能圏に入ると、通信部３６は、上述したような方法で、携帯端末１０の第１通信部１６との通信を確立する。通信確立後、通信部３６は、第１通信部１６から引換票発行要求を受信し、引換票生成部３２により生成された引換票データを送信する。
【００４０】
引換票生成部３２は、携帯端末１０からの引換票発行要求に応じて、引換票データを生成する。例えば、引換票発行要求には、携帯端末１０からプリント装置２０へ画像データを送信してプリント注文を行った際の注文ＩＤが含まれている。引換票生成部３２は、この注文ＩＤを含む引換票データを作成する。引換票データは、プリント装置２０においてプリントを開始させるために必要となるものである。
【００４１】
入力部３３は例えばボタンからなり、このボタンを押している間だけ、通信部３６が通信を行うことができるようになっている。
【００４２】
認証部３４は、通信部３６と、携帯端末１０との通信接続の認証処理を行う。
【００４３】
記憶部３５は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリ、磁気ディスク、光ディスクの少なくとも１つのタイプの記憶媒体を含む。記憶部３５は、制御プログラム等を保存する。
【００４４】
制御部３１は、引換票発行端末３０の各部を制御する。ＣＰＵが、制御プログラムを実行することで制御部３１として機能する。
【００４５】
引換票発行端末３０は、店員が入力部３３を操作している間だけ引換票発行端末３０の近く（通信可能圏内）にある携帯端末１０と通信を行う。そのため、引換票データが不正に取得されることを防止できる。
【００４６】
引換票発行端末３０は、近距離無線通信のデータ伝送方式としてＢＬＥ等を用いることで、コイン型電池で動作可能な低消費電力機器とすることができる。また、引換票発行端末３０は小型機器とすることができ、店舗のレジ端末付近への設置が容易である。
【００４７】
次に、このような画像プリントシステムによる画像プリント処理を、図６に示すフローチャートを用いて説明する。なお、図６のステップＳ１０２、Ｓ１０３、Ｓ１０６、Ｓ１０７については、図８〜図１０を用いてさらに詳細に説明する。
【００４８】
（ステップＳ１０１）利用者が、携帯端末１０において画像プリント注文のアプリケーションを起動し、プリント注文する画像を選択したり、プリントサイズやプリント枚数等の注文内容を入力したりする。例えば、制御部１１は、記憶部１５に保存されている画像データを縮小したサムネイル画像を表示部１２に表示する。利用者は、サムネイル画像を確認し、プリントする画像を選択する。制御部１１は、入出力部１３を介して、利用者からの画像の選択を受け付ける。例えば、表示部１２（タッチパネル）には、図７（ａ）〜（ｃ）に示すような画像選択画面が表示される。
【００４９】
（ステップＳ１０２）携帯端末１０が、近距離無線通信により、プリント装置２０から無線ＬＡＮ接続に必要な設定情報を受信する。
【００５０】
（ステップＳ１０３）携帯端末１０が、ステップＳ１０２で受信した設定情報を用いてプリント装置２０と無線ＬＡＮ接続を行う。そして、携帯端末１０は、無線ＬＡＮを介して、ステップＳ１０１で選択された画像データ及び注文内容をプリント装置２０へ送信する。プリント装置２０は、プリント注文を受け付けると、注文ＩＤを含む注文票データを携帯端末１０へ送信する。
【００５１】
（ステップＳ１０４）利用者が、店舗のレジへ移動し、注文票データを携帯端末１０の表示部１２に表示させ、店員に提示する。
【００５２】
（ステップＳ１０５）店員が、携帯端末１０の表示部１２に表示されている注文内容に応じて料金の徴収を行う。
【００５３】
（ステップＳ１０６）店員が、引換票発行端末３０の入力部３３（例えばボタン）を操作して通信部３６を通信可能状態にする。携帯端末１０が、近距離無線通信により、引換票発行端末３０から引換票データを受信する。店員による入力部３３の操作が必要であり、通信範囲が狭いため、料金の支払い前に引換票データが取得されるなどの不正行為を防止することができる。
【００５４】
（ステップＳ１０７）利用者が、携帯端末１０を持ってプリント装置２０の近傍へ移動する。携帯端末１０が、近距離無線通信により、プリント装置２０に対して引換票データを送信する。
【００５５】
（ステップＳ１０８）プリント装置２０の制御部２１は、第１通信部２６が引換票データを受信すると、注文ＩＤから料金支払い済のプリント注文を特定し、注文内容に応じたサイズ・枚数で画像データをプリント出力するようにプリンタ２８を制御する。
【００５６】
図６のステップＳ１０２、Ｓ１０３における処理を、図８に示すシーケンス図を用いて説明する。
【００５７】
（ステップＳ２０１）利用者が、携帯端末１０に対し、近距離無線通信の接続指示を与える。例えば、図７（ｃ）の画面において選択ボタン７２を押す。第１通信部１６は、近距離無線通信を行う機器の検索を開始する。利用者が、携帯端末１０をプリント装置２０の所定箇所にかざすことでプリント装置２０（第１通信部２６）が検出されると、第１通信部１６は接続要求を発行する。
【００５８】
なお、プリント装置２０の表示部２２は、案内画面を表示することが好ましい。例えば、案内画面には、携帯端末１０にて接続ボタンを押し、携帯端末１０をプリント装置２０の所定箇所にかざすように表示されている。携帯端末１０をかざす所定箇所は、第１通信部２６が設置されている位置の近傍であり、利用者にわかりやすいようにマーキングされていることが好ましい。
【００５９】
（ステップＳ２０２）プリント装置２０の第１通信部２６が、接続要求に応答する。これにより、携帯端末１０の第１通信部１６と、プリント装置２０の第１通信部２６とが接続状態に移行し、近距離無線通信を行うことができる。
【００６０】
（ステップＳ２０３）携帯端末１０が、第１通信部１６を介して、プリント装置２０に対し、無線ＬＡＮ接続時の認証に用いる設定情報を要求する。
【００６１】
（ステップＳ２０４）プリント装置２０が、第１通信部２６を介して、無線ＬＡＮ接続時の認証に用いる設定情報を記載したテキストファイルを返信する。この設定情報は、プリント装置２０の認証部２４が、携帯端末１０からの要求に応じて動的に生成してもよい。設定情報には、プリント装置２０のＳＳＩＤやパスワードが含まれる。
【００６２】
（ステップＳ２０５）携帯端末１０の認証部１４が、ステップＳ２０４で取得した設定情報を用いて、第２通信部１７を介して、プリント装置２０に対し無線ＬＡＮによる接続を要求する。
【００６３】
（ステップＳ２０６）プリント装置２０の認証部２４が、無線ＬＡＮ接続の認証処理を行う。携帯端末１０からの接続要求には、ステップＳ２０４でプリント装置２０から送信した正当なパスワードが含まれているため、認証部２４は無線ＬＡＮ接続の認証を行い、第２通信部２７を介して接続許可応答を行う。これにより、携帯端末１０の第２通信部１７と、プリント装置２０の第２通信部２７とが接続状態に移行し、無線ＬＡＮを介した通信を行うことができるようになる。
【００６４】
（ステップＳ２０７）携帯端末１０の第２通信部１７が、プリント装置２０の第２通信部２７に対し、プリント注文する画像データ及び注文内容を送信する。
【００６５】
（ステップＳ２０８）画像データ及び注文内容を受信すると、プリント装置２０は注文票データを作成し、第２通信部２７を介して携帯端末１０へ送信する。注文票データには注文ＩＤ、プリント枚数、料金等が含まれている。注文ＩＤにより、プリント装置２０が受け付けたプリント注文を一意に特定することができる。
【００６６】
次に、図６のステップＳ１０６における引換票発行処理を、図９に示すシーケンス図を用いて説明する。
【００６７】
（ステップＳ３０１）利用者が、携帯端末１０に対し、近距離無線通信の接続指示を与える。例えば、携帯端末１０の画面に表示される引換票発行ボタンを押す。第１通信部１６は、近距離無線通信を行う機器の検索を開始する。利用者が、携帯端末１０を引換票発行端末３０にかざすことで引換票発行端末３０（通信部３６）が検出されると、第１通信部１６は接続要求を発行する。
【００６８】
（ステップＳ３０２）引換票発行端末３０の通信部３６が、接続要求に応答する。これにより、携帯端末１０の第１通信部１６と、引換票発行端末３０の通信部３６とが接続状態に移行し、近距離無線通信を行うことができる。
【００６９】
（ステップＳ３０３）携帯端末１０が、第１通信部１６を介して、引換票発行端末３０に対し、引換票の発行を要求する。例えば、引換票発行要求には、注文ＩＤが含まれる。
【００７０】
（ステップＳ３０４）引換票発行端末３０の引換票生成部３２が、引換票データを生成する。引換票データには注文ＩＤが含まれる。
【００７１】
（ステップＳ３０５）引換票発行端末３０が、通信部３６を介して、引換票データを返信する。
【００７２】
（ステップＳ３０６）携帯端末１０は、取得した引換票データを表示部１２に表示する。これにより、利用者は、引換票が取得できたことがわかる。また、表示部１２は、この携帯端末１０をプリント装置２０にかざしてプリントを開始するような案内を表示してもよい。
【００７３】
次に、図６のステップＳ１０７におけるプリント開始指示処理を、図１０に示すシーケンス図を用いて説明する。
【００７４】
（ステップＳ４０１）利用者が、携帯端末１０に対し、近距離無線通信の接続指示を与える。例えば、携帯端末１０の画面に表示されるプリントボタンを押す。第１通信部１６は、近距離無線通信を行う機器の検索を開始する。利用者が、携帯端末１０をプリント装置２０の所定箇所にかざすことでプリント装置２０（第１通信部２６）が検出されると、第１通信部１６は接続要求を発行する。
【００７５】
（ステップＳ４０２）プリント装置２０の第１通信部２６が、接続要求に応答する。これにより、携帯端末１０の第１通信部１６と、プリント装置２０の第１通信部２６とが接続状態に移行し、近距離無線通信を行うことができる。
【００７６】
（ステップＳ４０３）携帯端末１０が、第１通信部１６を介して、プリント装置２０に対し、引換票データを送信する。
【００７７】
（ステップＳ４０４）プリント装置２０が、第１通信部２６を介して引換票データを受信すると、引換票データに含まれる注文ＩＤから、利用者のプリント注文を特定し、プリンタ２８での画像データのプリントを開始する。また、プリント装置２０は、携帯端末１０に対し、プリント処理の開始を通知する。これにより、利用者は、引換票データを送信し、プリント開始を指示できたことがわかる。
【００７８】
本実施形態による画像プリントシステムでは、携帯端末１０が、ＢＬＥ等の近距離無線通信によりプリント装置２０から無線ＬＡＮの接続設定情報を取得し、この接続設定情報を用いて無線ＬＡＮの接続設定を行う。そのため、プリント装置２０は、接続設定情報のＳＳＩＤやパスワードを固定する必要がなく、利用者からの設定情報要求に応じて変更できるため、セキュリティを向上させることができる。
【００７９】
通常の無線ＬＡＮ接続では、広範囲（例えば３００ｍ程度以内）にある無線ＬＡＮ対応機器がリストに表示され、このリストの中から接続先を探し出し、必要に応じてパスワードを入力するため、無線ＬＡＮ接続に手間がかかっていた。これに対し、本実施形態では、プリント装置２０から近距離無線通信により接続設定情報を直接取得し、無線ＬＡＮ接続を確立するため、無線ＬＡＮの接続設定が容易である。
【００８０】
本実施形態では、携帯端末１０からプリント装置２０へ直接プリント注文を行い、利用者は注文票画面を店舗レジ係員に提示して料金を支払う。そして、携帯端末１０を用いて引換票発行端末３０から引換票データを取得し、この引換票データをプリント装置２０へ送信してプリントを開始させる。そのため、従来のような料金を印刷したレシートを出力する受付専用端末を省略することができる。また、引換票データを携帯端末１０へ送信する小型の引換票発行端末３０を設けることで、受付専用端末とネットワーク接続されたレシートプリンタを省略することができる。また、プリント装置３０は引換票データの受信によりプリントを開始するため、レシートに印字されたバーコードを読み取るバーコードスキャナは不要である。
【００８１】
このように、本実施形態による画像プリントシステムは、低コストで操作の容易なものとなる。
【００８２】
上記実施形態では、プリント装置２０が注文票データを作成し、携帯端末１０に送信する例について説明したが、携帯端末１０が注文票データを作成してもよい。携帯端末１０はプリント注文の注文ＩＤを作成し、プリント装置２０に通知する。この注文ＩＤを、自機の端末ＩＤを用いて作成することで、注文ＩＤは固有のものとなり、プリント装置２０が複数の利用者（携帯端末１０）からプリント注文を受け付けた場合でも、各利用者のプリント注文を特定することができる。画像データのプリントの単価の情報は、携帯端末１０内のアプリケーションプログラムが持っていてもよいし、プリント装置２０が通知してもよい。
【００８３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８４】
１０  携帯端末
２０  プリント装置
３０  引換票発行端末
【図１】
0006331898.tif 000002
【図２】
0006331898.tif 000003
【図３】
0006331898.tif 000004
【図４】
0006331898.tif 000005
【図５】
0006331898.tif 000006
【図６】
0006331898.tif 000007
【図７】
0006331898.tif 000008
【図８】
0006331898.tif 000009
【図９】
0006331898.tif 000010
【図１０】
0006331898.tif 000011